(57)【要約】【課題】フィルターの目詰まりを防止することで、集塵ボックスの内容量を有効に利用することを可能とすること。【解決手段】集塵ボックス８は、吸入口２に挿入されるホース１０３と連通する為の連通穴９と電動送風機１０７の吸引口に対向して設けられた開口部を有する本体部１０と、前記開口部を覆い吸引された空気の塵埃を除去する粗塵フィルター１１を有する蓋体Ａとを備え、連通穴９は、連通穴９外周から本体部１０内方に延出される複数の延出部３２とからなり、連通穴９から吸引された吸引風は、延出部３２間の隙間から分散して広がるために、粗塵フィルター１１に付着した塵埃を吹き飛ばすことができ、粗塵フィルター１１の通気性を従来より長く維持することができため、集塵ボックスの内容量を有効に利用できる。【選択図】図４
2008022932.tif 000002
【特許請求の範囲】
【請求項１】
本体前部に設けた吸入口と、前記吸入口の後部に位置し集塵ボックスを収納する集塵ボックス収納部と、前記集塵ボックス収納部の後部に配置された電動送風機を備えた電気掃除機において、前記集塵ボックスは、前記吸入口に挿入されるホースと連通する為の連通穴と前記電動送風機の吸引口に対向して設けられた開口部を有する本体部と、前記開口部を覆い吸引された空気の塵埃を除去するフィルターを有する蓋体とを備え、前記連通穴は、連通穴外周から本体部内方に延出される複数の延出部を有することを特徴とする電気掃除機。
【請求項２】
本体前部に設けた吸入口と、前記吸入口の後部に位置し集塵ボックスを収納する集塵ボックス収納部と、前記集塵ボックス収納部の後部に配置された電動送風機を備えた電気掃除機において、前記集塵ボックスは、前記吸入口に挿入されるホースと連通する為の連通穴と前記電動送風機の吸引口に対向して設けられた開口部を有する本体部と、前記開口部を覆い吸引された空気の塵埃を除去するフィルターを有する蓋体とを備え、前記連通穴は、本体部内方に延出される筒状部と、前記筒状部先端から延出される複数の延出部とからなることを特徴とする電気掃除機。
【請求項３】
延出部を連通穴の内側に傾斜して設けた請求項１または２に記載の電気掃除機。
【請求項４】
フィルターは、上流側に配した薄板状の粗塵フィルターと下流側に配した細塵フィルターとからなることを特徴とする請求項１〜３のいずれか１項に記載の電気掃除機。
【請求項５】
延出部間の隙間を少なくとも斜め上方に設けたことを特徴とする請求項１〜４のいずれか１項に記載の電気掃除機。
【請求項６】
延出部間の隙間を少なくとも下方に設けたことを特徴とする請求項１〜５のいずれか１項に記載の電気掃除機。
【請求項７】
フィルターは、上流面側の連通穴に対向する位置に凸状部を有することを特徴とする請求項１〜６のいずれか１項に記載の電気掃除機。
【請求項８】
凸状部は、連通穴と略同一径の風受け部と前記風受け部より末広がり形状で突出する縦長リブからなることを特徴とする請求項７に記載の電気掃除機。
【発明の詳細な説明】
【技術分野】
【０００１】
本発明は、電気掃除機に関し、特に電気掃除機の集塵ボックスに関するものである。
【背景技術】
【０００２】
従来の電気掃除機の集塵方法として、使い捨ての紙パックを利用するものと、再利用可能な集塵ボックスを利用するものがあるが、近年、経済的な集塵ボックスを利用した電気掃除機が増えている。中でも、簡単な構造の集塵ボックスとして、本体部とフィルターを有する蓋部とからなるものがある（例えば、特許文献１参照）。
【特許文献１】特開２００５−２３７８６０号公報
【発明の開示】
【発明が解決しようとする課題】
【０００３】
しかしながら、前記従来の構成では、集塵ボックスの後面全体を覆うようにフィルターを構成することで塵埃が付着することによる目詰まりを防止しようとしているが、実際には集塵ボックスの前面に設けた連通穴から吸引された空気はフィルターに直接当たりそのままフィルターの表面に堆積していくので、ある程度の集塵量で目詰まりを起こしてしまう。
【０００４】
その対策としてフィルターを上下に設けてフィルターの面積を大きくすることで目詰まりを防止し、より集塵量を大きくする方法が提案されているが、このような構成をとると集塵ボックスが大きくなり、それを収納する電気掃除機本体も大型化するという課題があった。
【０００５】
本発明は、前記従来の課題を解決するもので、集塵ボックスを大きくすることなく、フィルターの目詰まりを防止することで、集塵ボックスの内容量を有効に利用することを可能とするもので、従来を同等の集塵量を確保しつつ集塵ボックスの小型化が可能となり、電気掃除機そのものの小型化を可能とすることを目的とする。
【課題を解決するための手段】
【０００６】
前記従来の課題を解決するために、本発明の電気掃除機は、本体前部に設けた吸入口と、前記吸入口の後部に位置し集塵ボックスを収納する集塵ボックス収納部と、前記集塵ボックス収納部の後部に配置された電動送風機を備えた電気掃除機において、前記集塵ボックスは、前記吸入口に挿入されるホースと連通する為の連通穴と前記電動送風機の吸引口に対向して設けられた開口部を有する本体部と、前記開口部を覆い吸引された空気の塵埃を除去するフィルターを有する蓋体とを備え、前記連通穴は、連通穴外周から本体部内方に延出される複数の延出部を有することを特徴とするもので、この構成により、連通穴から吸引された吸引風は、延出部間の隙間から分散して広がるために、延出部が無い場合と比べ流速が増しているのでフィルターに付着した塵埃を吹き飛ばすことができる。従って、目詰まりがし難くなり、フィルターの通気性を従来より長く維持することができため、集塵ボックスの内容量を有効に利用できるようになり、集塵ボックスの小型化、ひいては、電気掃除機本体の小型化が可能となる。
【発明の効果】
【０００７】
本発明によれば、吸引風を利用してフィルター表面に付着した塵埃を吹き飛ばすことで目詰まりを起こし難くし、フィルターの通気性を長時間維持することが可能となるので、集塵ボックスの内容量を有効に利用できる電気掃除機を提供できる。
【発明を実施するための最良の形態】
【０００８】
第１の発明は、本体前部に設けた吸入口と、前記吸入口の後部に位置し集塵ボックスを収納する集塵ボックス収納部と、前記集塵ボックス収納部の後部に配置された電動送風機を備えた電気掃除機において、前記集塵ボックスは、前記吸入口に挿入されるホースと連通する為の連通穴と前記電動送風機の吸引口に対向して設けられた開口部を有する本体部と、前記開口部を覆い吸引された空気の塵埃を除去するフィルターを有する蓋体とを備え、前記連通穴は、連通穴外周から本体部内方に延出される複数の延出部を有することを特徴とするもので、連通穴から吸引された吸引風は、延出部間の隙間から分散して広がるために、連通穴の周方向に拡散する気流の流速は延出部が無い場合と比べ速くなりフィルターに付着した塵埃を吹き飛ばすことができる。従って、目詰まりがし難くなり、フィルターの通気性を従来より長く維持することができため、集塵ボックスの内容量を有効に利用できるようになり、集塵ボックスの小型化、ひいては、電気掃除機本体の小型化が可能となる。
【０００９】
第２の発明は、本体前部に設けた吸入口と、前記吸入口の後部に位置し集塵ボックスを収納する集塵ボックス収納部と、前記集塵ボックス収納部の後部に配置された電動送風機を備えた電気掃除機において、前記集塵ボックスは、前記吸入口に挿入されるホースと連通する為の連通穴と前記電動送風機の吸引口に対向して設けられた開口部を有する本体部と、前記開口部を覆い吸引された空気の塵埃を除去するフィルターを有する蓋体とを備え、前記連通穴は、本体部内方に延出される筒状部と、前記筒状部先端から延出される複数の延出部とからなることを特徴とするもので、円筒部によりフィルター表面に近い位置で吸引風を分散するように構成することで、フィルター表面での流速を増すことができ塵埃をより吹き飛ばしやすくなる。
【００１０】
第３の発明は、特に第１または２の発明の延出部を連通穴の内側に傾斜して設けたもので、延出部を傾斜させることにより、吸引風が絞られるので吸引風が乱流となり、塵埃を吹き飛ばしやすくなる。
【００１１】
第４の発明は、フィルターを、上流側に配した薄板状の粗塵フィルターと下流側に配した細塵フィルターとから構成したもので、上流側のフィルターを薄板状の平面とすることで、表面に付着した塵埃が吹き飛ばされやすくなる。
【００１２】
第５の発明は、延出部間の隙間を少なくとも斜め上方に設けたことを特徴とするもので、通常、塵埃が溜まりにくい上方の隅に塵埃を吹き飛ばすことで、集塵ボックスの容量を最大限に利用することができる様になる。
【００１３】
第６の発明は、延出部間の隙間を少なくとも下方に設けたことを特徴とするもので、重力の関係上、最も塵埃が溜まりにやすい下方に堆積した塵埃を吹き飛ばして分散させることで、集塵ボックスの容量を最大限に利用することができる。
【００１４】
第７の発明は、フィルターの上流面側の連通穴に対向する位置に凸状部を有することを特徴とするもので、フィルターに衝突する吸引風を効率よく分散することで、吸引風の速度低下を防止でき、表面に付着した塵埃をより吹き飛ばすことができる。
【００１５】
第８の発明は、凸状部を、連通穴と略同一径の風受け部と前記風受け部より末広がり形状で突出する縦長リブから構成したもので、末広がり形状の縦長のリブにより、塵埃はスムーズに左右に吹き飛ばすことができる。また、集塵ボックスを横長にした場合は、左右のスペースを効率よく利用することができる。
【００１６】
以下、本発明の実施の形態について、図面を参照しながら説明する。なお、この実施の形態によって本発明が限定されるものではない。
【００１７】
（実施の形態１）
本発明の第１の実施の形態について、図１〜図５を用いて説明する。
【００１８】
図１に示すように、電気掃除機１０１は、掃除機本体１と、掃除機本体１の前方に設けた吸入口２に接続されるホース１０３と、ホース１０３の先端に設けられた接続パイプ１０４と、接続パイプ１０４に接続される延長管１０５と、延長管１０５の先端に設けられ塵埃を吸引する開口部（図示せず）を有する吸込具１０６からなり、掃除機本体１には、塵埃を吸引するための電動送風機１０７と塵埃を集塵する集塵ボックス８が内蔵されている。
【００１９】
図２は、掃除機本体１の要部断面図、図３は集塵ボックスの外観を示す斜視図、図４は集塵ボックスの蓋部を開けた状態を示す斜視図、図５（ａ）は集塵ボックスの正面図、（ｂ）は（ａ）のＡ−Ａ断面図、（ｃ）は（ａ）のＢ−Ｂ断面図である。
【００２０】
図に示すように、掃除機本体１は前方に吸入口２を有する集塵ボックス収納部３と後方に電動送風機１０７を有する電動送風機室（図示しない）を具備し、吸入口２には掃除機本体１とホース１０３のエアータイト用のパッキンＡ４を具備している。また、集塵ボックス収納部３上方は開放状態となっており、開放部上端全周にパッキンＢ５を有している。６は掃除機本体にその後方部を支点として回動自在に設けた集塵ボックス収納部蓋体で、集塵ボックス収納部３の上方開口部を覆うものである。この集塵ボックス収納部蓋体６は、パッキンＢ５と平面が略同形状で集塵ボックス収納部蓋体６が閉状態となった時パッキンＢ５と圧接しエアータイトを行うタイトリブ７を有している。集塵ボックス収納部３内には、集塵ボックス８が収納されている。集塵ボックス８は前方に連通穴９が設けられ、後方が開口されている本体部１０と本体部１０の後方の開口部を覆うように、メッシュもしくは多孔質に形成された薄板状の粗塵フィルター１１を形成した蓋体Ａ１２と、その下流にプリーツ加工された細塵フィルター１３を形成する蓋体Ｂ１４が後述のヒンジを介して回動自在に本体部１０に保持されている。また、細塵フィルター１３に付着した細塵を掃除するためのブラシ１０８が本体部１０に設けた収納部１０９に着脱自在に備えられている。
【００２１】
また、集塵ボックスの連通穴９には、内方に向けて円筒部３１が導出され、さらに円筒部３１の先端には更に延出された舌片状の延出部３２が複数備えられている。一方、蓋体Ａ１２に設けられた粗塵フィルター１１の上流側には閉めた時に連通穴９と対向する位置に凸状部３４が設けられている。この凸状部３４は、連通穴９からの吸引風を分散させるために連通穴９とほぼ同じ径を有する円形状の風受け部３３とこの風受け部３３から断面が末広がり状に突出した上下に伸びた縦長リブ３５から構成されている。
【００２２】
また、蓋体Ａ１２の回動軸部１２ａと蓋体Ｂ１４の回動軸部１４ａは本体部１０の軸部１５に同心軸にて係止されている。さらに、蓋体Ａ１２、蓋体Ｂ１４は系止部１６に本体部１０の爪１７が引っ掛ることで本体部１０に固定され使用時の形態となる。このとき、蓋体Ａ１２の外周前後に形成された、タイトパッキンＡ１８により、本体部１０と蓋体Ｂ１４とがエアータイトされる構成となっている。集塵ボックス８と集塵ボックス収納部３とのエアータイトは前方をパッキンＡ４と本体部１０、後方を蓋体Ｂ１４と蓋体集塵ボックス収納部３の壁に形成されたタイトパッキンＢ１９によりタイトされたものである。なお、タイトパッキンＡ１８と、タイトパッキンＢ１９、パッキンＡ４はタイト構成として使用される部品でありそれぞれのパッキンが当接するいずれかの部品に構成されてもタイト構成できる。
【００２３】
以上のように構成された電気掃除機について、以下その動作、作用を説明する。
【００２４】
図２に示すように、電動送風機１０７の吸引風により、塵埃は、吸入口２、連通穴９を通過し集塵ボックス８の本体部１０に到達する。その後、蓋体Ａ１２に形成されたメッシュもしくは多孔質に形成された粗塵フィルター１１により塵埃の粗塵２３が捕集される。メッシュもしくは多孔質に形成された粗塵フィルター１１を細塵と空気は通過し、次に蓋体Ｂ１４のプリーツ加工された細塵フィルター１３により細塵２４が捕集され、空気のみが電動送風機室を経て掃除機本体１外に排出される。
【００２５】
このような集塵の過程において、連通穴９に吸引された吸引風は、真っ直ぐに直進して凸状部３４に衝突して分散する第１の気流と、延出部３２間の隙間３６から拡散される第２の気流とに分かれる。そして、この２つの気流により粗塵フィルター１１の表面に付着した粗塵は吹き飛ばされることになる。特に、延出部３２を設けその間の隙間３６から吹き出すことになるため流速が増し、更に、連通穴９の周方向に拡散する方向に流れる為に、粗塵をより効果的に吹き飛ばす事ができる。また、図４に示すように延出部３２を連通穴９の上方及び下方の左右斜め方向の３カ所とすることにより、隙間３６は連通穴９の斜め上方の左右、及び下方としており、斜め上方の隙間方向の気流により粗塵は集塵ボックス８の上方の隅、即ち通常は最も塵埃が堆積しにくい部位に吹き飛ばすことができる。また、下方の隙間方向の気流は最も粗塵が堆積しやすい下部の粗塵を吹き飛ばすことができる。以上の様に粗塵フィルター１１に付着した塵埃を効率的に吹き飛ばすことができため、目詰まりがし難くなり、粗塵フィルター１１の通気性を従来より長く維持することができ、粗塵は集塵ボックスの各部位にほぼ均一に堆積していくこととなり、内容量の多くを有効に利用することができる。
【００２６】
また、本実施の形態においては、連通穴９と延出部３２との間に円筒部３１を設けることにより吸引風の分散を粗塵フィルター１１の近くで行うように構成することにより、粗塵の吹き飛ばし効果を高めている。
【００２７】
（実施の形態２）
次に、本発明の第２の実施の形態について、図６を用いて説明する。
【００２８】
図６は、図５（ｃ）と同様に集塵ボックスの側面断面図を示すものであり、異なる点は、延出部３２’を連通穴９の内側に向けて傾斜させた点である。
【００２９】
この構成によると、吸引風は延出部で絞られるので、延出部３２’間の隙間からの気流は流速が更に増し、また、直進する気流も流速が増しかつ乱流となることにより、粗塵フィルター１１に付着した塵埃をより吹き飛ばしやすくなり、実施の形態１に比べて更に、目詰まりがし難くなり、フィルターの通気性を来より長く維持することができる様になった。
【産業上の利用可能性】
【００３０】
以上のように、本発明にかかる電気掃除機は、吸引風によりフィルターに付着した塵埃を吹き飛ばすことにより、目詰まりがし難く、フィルターの通気性を従来より長く維持することができるもので、特に家庭、業務用等の電気掃除機に有用である。
【図面の簡単な説明】
【００３１】
【図１】本発明の実施の形態１における電気掃除機の斜視図
【図２】同電気掃除機の要部断面図
【図３】同電気掃除機の集塵ボックスの外観斜視図
【図４】同電気掃除機の集塵ボックスの蓋体を開けた状態を示す斜視図
【図５】（ａ）同集塵ボックスの正面図（ｂ）（ａ）のＡ−Ａ断面図（ｃ）（ａ）のＢ−Ｂ断面図
【図６】本発明の実施の形態２における電気掃除機の集塵ボックスの側面断面図
【符号の説明】
【００３２】
２  吸入口
３  集塵ボックス収納部
８  集塵ボックス
９  連通穴
１０  本体部
１１  粗塵フィルター（フィルター）
１２  蓋体Ａ（蓋体）
１３  細塵フィルター（フィルター）
１４  蓋体Ｂ（蓋体）
２３  粗塵
２４  細塵
３１  筒状部
３２、３２’  延出部
３３  風受け部
３４  凸状部
３５  縦長リブ
１０３  ホース
１０７  電動送風機
【図１】
2008022932.tif 000003
【図２】
2008022932.tif 000004
【図３】
2008022932.tif 000005
【図４】
2008022932.tif 000006
【図５】
2008022932.tif 000007
【図６】
2008022932.tif 000008